(57)【要約】【課題】ピーク輝度レベルの可変制御により動画特性やフリッカ特性が変動し、視認性が低下することがある。【解決手段】自発光表示パネル上にマトリクス配置される各画素に接続される電源線を駆動する電源線駆動回路に、以下の機能を搭載する。すなわち、自発光素子の発光期間には、固定電圧値の第１の駆動電源と可変電圧値の第２の駆動電源を、自発光表示パネル上にマトリクス配置される各画素に接続される電源線に対して時間順次に供給する機能と、自発光素子の非発光期間には、自発光素子を非発光状態に制御する第３の駆動電源を前記電源線に供給する機能とを搭載する。ただし、両端位置が固定された発光期間に占める第１の駆動電源の出力期間長と第２の駆動電源の出力期間長の比率と、第２の駆動電源の電圧値とが、可変的に設定されるピーク輝度レベルが得られるように設定する。【選択図】図２３
2010060975.tif 000002
【特許請求の範囲】
【請求項１】
自発光素子の発光期間には、
固定電圧値の第１の駆動電源と可変電圧値の第２の駆動電源を、自発光表示パネル上にマトリクス配置される各画素に接続される電源線に対して時間順次に供給し、
自発光素子の非発光期間には、
自発光素子を非発光状態に制御する第３の駆動電源を前記電源線に供給する電源線駆動回路を有し、
両端位置が固定された前記発光期間に占める前記第１の駆動電源の出力期間長と前記第２の駆動電源の出力期間長の比率と、前記第２の駆動電源の電圧値とが、可変的に設定されるピーク輝度レベルが得られるように設定されている
半導体集積回路。
【請求項２】
前記第２の駆動電源は、自発光素子に順電圧を印加する範囲内で可変電圧値に設定される
請求項１に記載の半導体集積回路。
【請求項３】
前記第２の駆動電源は、フレーム画像の平均輝度レベルが高いほど前記第１の駆動電源との電位差が小さくなるように可変的に制御され、フレーム画像の平均輝度レベルが低いほど前記第１の駆動電源との電位差が大きくなるように可変的に制御される
請求項２に記載の半導体集積回路。
【請求項４】
前記第２の駆動電源は、自発光表示パネルの周辺照度が高いほど前記第１の駆動電源との電位差が小さくなるように可変的に制御され、自発光表示パネルの周辺照度が低いほど前記第１の駆動電源との電位差が大きくなるように可変的に制御される
請求項２に記載の半導体集積回路。
【請求項５】
前記第２の駆動電源は、前記発光期間内に複数回出力される
請求項３又は４に記載の半導体集積回路。
【請求項６】
発光期間には、固定電圧値の第１の駆動電源と可変電圧値の第２の駆動電源とが、自発光表示パネル上にマトリクス配置される各画素に接続される電源線に対して時間順次に供給される場合に、
両端位置が固定された前記発光期間に占める第１の駆動電源の出力期間長と前記第２の駆動電源の出力期間長の比率と、前記第２の駆動電源の電圧値とを、可変的に設定されるピーク輝度レベルが得られるように設定する駆動電源発生部
を有する半導体集積回路。
【請求項７】
アクティブマトリクス駆動方式に対応する画素構造を有する画素アレイ部と、
信号線を駆動する信号線駆動回路と、
前記画素アレイ部にマトリクス配置される各画素に対する電位の書き込みを制御する書込制御線駆動回路と、
自発光素子の発光期間には、固定電圧値の第１の駆動電源と可変電圧値の第２の駆動電源を、自発光表示パネル上にマトリクス配置される各画素に接続される電源線に対して時間順次に供給し、自発光素子の非発光期間には、自発光素子を非発光状態に制御する第３の駆動電源を前記電源線に供給する電源線駆動回路と、
両端位置が固定された前記発光期間に占める前記第１の駆動電源の出力期間長と前記第２の駆動電源の出力期間長の比率と、前記第２の駆動電源の電圧値とが、可変的に設定されるピーク輝度レベルが得られるように設定する駆動電源発生部と
を有することを特徴とする自発光表示パネルモジュール。
【請求項８】
アクティブマトリクス駆動方式に対応する画素構造を有する画素アレイ部と、
信号線を駆動する信号線駆動回路と、
前記画素アレイ部にマトリクス配置される各画素に対する電位の書き込みを制御する書込制御線駆動回路と、
自発光素子の発光期間には、固定電圧値の第１の駆動電源と可変電圧値の第２の駆動電源を、自発光表示パネル上にマトリクス配置される各画素に接続される電源線に対して時間順次に供給し、自発光素子の非発光期間には、自発光素子を非発光状態に制御する第３の駆動電源を前記電源線に供給する電源線駆動回路と、
両端位置が固定された前記発光期間に占める前記第１の駆動電源の出力期間長と前記第２の駆動電源の出力期間長の比率と、前記第２の駆動電源の電圧値とが、可変的に設定されるピーク輝度レベルが得られるように設定する駆動電源発生部と、
システム全体の動作を制御するシステム制御部と、
前記システム制御部に対する操作入力部と
を有することを特徴とする電子機器。
【請求項９】
発光期間には、固定電圧値の第１の駆動電源と可変電圧値の第２の駆動電源とが、自発光表示パネル上にマトリクス配置される各画素に接続される電源線に対して時間順次に供給される場合に、
両端位置が固定された前記発光期間に占める第１の駆動電源の出力期間長と前記第２の駆動電源の出力期間長の比率と、前記第２の駆動電源の電圧値とを、可変的に設定されるピーク輝度レベルが得られるように設定する処理と、
前記第１及び第２の駆動電源を時間順次に対応する電源線に供給する処理と
を有する自発光表示パネル上に配線される電源線の駆動方法。
【発明の詳細な説明】
【技術分野】
【０００１】
この明細書で説明する発明は、自発光表示パネルの電源線駆動技術に関する。なお、発明は、半導体集積回路、自発光表示パネルモジュール、電子機器及び電源線駆動方法としての側面を有する。
【背景技術】
【０００２】
有機ＥＬディスプレイパネルは、コントラストが高いだけでなく、視野角が広く、応答速度も速いという特性を有している。また、バックライト光源が不要であり、薄型化にも適している。このため、有機ＥＬディスプレイパネルは、次世代のフラットパネルの本命として注目されている。
【特許文献１】特開２００２−２５１１６７号公報
【発明の開示】
【発明が解決しようとする課題】
【０００３】
ところで、有機ＥＬディスプレイパネルは、有機ＥＬ素子ＯＬＥＤの発光時間長でピーク輝度レベルを制御することができる。図１及び図２を用いて、この輝度レベルの制御機能を説明する。図１は、１フレーム期間を１００％として、その何パーセントを発光期間として使用するかを表している。図中、網掛けで示す棒グラフの長さが発光期間長である。例えば図１（Ｂ）は、１フレーム期間の25％を発光期間に使用することを意味し、図１（Ｃ）は、１フレーム期間の50％を発光期間に使用することを意味する。
【０００４】
なお、１フレーム期間における総発光期間長が同じであれば、１フレーム期間中における発光期間の数は必ずしも１回に限られることはなく、複数回に分割することもできる。
図２は、発光期間長の長さの違いによる画素階調と輝度レベルとの関係を表している。図２の縦軸が輝度レベルであり、横軸が画素階調に対応する信号電位Ｖsig 又は駆動電流Ｉsig である。図２に示すように、発光期間長が長いほど、ピーク輝度レベルを高くすることができる。すなわち、輝度レベルの可変範囲を大きくとることができる。
【０００５】
ところが、図１に示すように単一の発光期間の長さだけでピーク輝度レベルを可変制御する方法には、動画性能やフリッカ性能の両立が難しくなる問題がある。例えば発光期間長を長くするほどピーク輝度レベルを高めることができる一方で、動画応答特性が低下する問題がある。反対に発光期間長を短くするほど動画応答特性を高めることができる一方で、ピーク輝度レベルが低下すると共にフリッカが目立ち易くなる問題がある。
【課題を解決するための手段】
【０００６】
そこで、発明者らは、以下の駆動条件を満たす電源線駆動回路を有する半導体集積回路を提案する。
（ａ）自発光素子の発光期間には、固定電圧値の第１の駆動電源と可変電圧値の第２の駆動電源を、自発光表示パネル上にマトリクス配置される各画素に接続される電源線に対して時間順次に供給する。
（ｂ）自発光素子の非発光期間には、自発光素子を非発光状態に制御する第３の駆動電源を前記電源線に供給する。
（ｃ）両端位置が固定された発光期間に占める第１の駆動電源の出力期間長と第２の駆動電源の出力期間長の比率と、第２の駆動電源の電圧値とが、可変的に設定されるピーク輝度レベルが得られるように設定される。
【０００７】
因みに、第２の駆動電源は、自発光素子に順電圧を印加する範囲内で可変電圧値に設定されることが望ましい。
また、第２の駆動電源は、フレーム画像の平均輝度レベルが高いほど第１の駆動電源との電位差が小さくなるように可変的に制御され、フレーム画像の平均輝度レベルが低いほど第１の駆動電源との電位差が大きくなるように可変的に制御されることが望ましい。
【０００８】
また、第２の駆動電源は、自発光表示パネルの周辺照度が高いほど第１の駆動電源との電位差が小さくなるように可変的に制御され、自発光表示パネルの周辺照度が低いほど第１の駆動電源との電位差が大きくなるように可変的に制御されることが望ましい。
因みに、第２の駆動電源は、前記発光期間内に複数回出力されることが望ましい。
【０００９】
更に、発明者らは、以下の駆動条件を満たす駆動電源発生部を有する半導体集積回路を提案する。
（ａ）発光期間には、固定電圧値の第１の駆動電源と可変電圧値の第２の駆動電源とが、自発光表示パネル上にマトリクス配置される各画素に接続される電源線に対して時間順次に供給される場合に、
（ｂ）両端位置が固定された発光期間に占める第１の駆動電源の出力期間長と第２の駆動電源の出力期間長の比率と、第２の駆動電源の電圧値とを、可変的に設定されるピーク輝度レベルが得られるように設定する。
【発明の効果】
【００１０】
発明者らの提案する駆動技術を採用する場合、第２の駆動電源の出力期間長の比率と電圧値の可変制御によって、発光期間の発光開始から発光終了までの期間長は変更することなく、ピーク輝度レベルを可変制御することが可能になる。しかも、発光開始から発光終了までの期間長は変化しないので、ピーク輝度レベルの変化に伴う表示品質の変化を最小限にとどめることができる。
【発明を実施するための最良の形態】
【００１１】
以下では、自発光表示パネルの一例であるアクティブマトリクス駆動型の有機ＥＬパネルについて、発明者らが提案する発明の最良の形態例を、以下に示す順番に説明する。
（Ａ）有機ＥＬパネルモジュールの外観構造
（Ｂ）形態例１（平均輝度レベルに基づいてピーク輝度レベルを設定する形態例）
（Ｃ）形態例２（周辺照度に基づいてピーク輝度レベルを設定する形態例）
（Ｄ）他の形態例
【００１２】
なお、本明細書で特に図示又は記載されない部分には、当該技術分野の周知又は公知技術を適用する。
また以下に説明する形態例は、発明の一つの形態例であって、これらに限定されるものではない。
【００１３】
（Ａ）有機ＥＬパネルモジュールの外観構造
まず、有機ＥＬパネルモジュールの外観例を説明する。ただし、この明細書においては、画素アレイ部と駆動回路を同じ基板上に形成するパネルモジュールだけでなく、例えば特定用途向けＩＣとして製造された駆動回路を画素アレイ部と同じ基板上に実装したものも含めてパネルモジュールと呼ぶことにする。ここでの特定用途向けＩＣが、特許請求の範囲における「半導体集積回路」に対応する。
【００１４】
図３に、有機ＥＬパネルモジュールの外観例を示す。有機ＥＬパネルモジュール１は、支持基板３に対向基板５を貼り合わせた構造を有している。
支持基板３は、ガラス、プラスチックその他の基材で構成される。対向基板５も、ガラス、プラスチックその他の透明部材を基材とする。対向基板５は、封止材料を挟んで支持基板３の表面を封止する部材である。
【００１５】
なお、基板の透明性は光の射出側だけ確保されていれば良く、他方の基板側は不透性の基板でも良い。
この他、有機ＥＬパネル１には、外部信号や駆動電源を入力するためのＦＰＣ（フレキシブルプリントサーキット）７が必要に応じて配置される。
【００１６】
（Ｂ）形態例１
（Ｂ−１）システム構成例
図４に、この形態例に係る有機ＥＬパネルモジュール１１のシステム構成例を示す。有機ＥＬパネルモジュール１１は、画素アレイ部１３と、信号線駆動部１５と、書込制御線駆動部１７と、電源線駆動部１９と、駆動電源発生部２１とをガラス基板上に配置した構成を有している。この形態例の場合、画素アレイ部１３以外の回路は、１個又は複数個の半導体集積回路として形成され、ガラス基板上に実装されるものとする。
【００１７】
（Ｂ−２）各デバイスの構成
以下、有機ＥＬパネルモジュール１１を構成するデバイス（機能ブロック）の形態例を順番に説明する。
【００１８】
（ａ）画素アレイ部
画素アレイ部１３は、表示上の１画素を構成するホワイトユニットがＭ行×Ｎ列に配置されたマトリクス構造を有している。なお、この明細書において、行とは、図中Ｘ方向に延びる３×Ｎ個のサブ画素２３で構成される画素列をいう。また、列とは、図中Ｙ方向に延びるＭ個のサブ画素２３で構成される画素列をいう。勿論、ＭとＮの値は、垂直方向の表示解像度と水平方向の表示解像度に応じて定まる。
【００１９】
図５に、ホワイトユニットを構成するサブ画素２３の配列例を示す。図５は、３原色に対応するＲ画素、Ｇ画素、Ｂ画素に対応するサブ画素２３によりホワイトユニットが構成される場合の例である。勿論、ホワイトユニットの構成は、これに限らない。また、サブ画素２３についても原色発光型だけでなく、フィルタによる色変換型やマルチ発光型等のサブ画素構造が考えられる。
【００２０】
図６に、アクティブマトリクス駆動に対応するサブ画素２３の画素回路例を示す。なお、この種の画素回路には、実に様々な回路構成が提案されている。図６は、これらのうち最も単純な回路例の一つである。
【００２１】
図６の場合、画素回路は、サンプリング動作を制御する薄膜トランジスタ（以下、「サンプリングトランジスタ」という。）Ｎ１と、駆動電流の供給動作を制御する薄膜トランジスタ（以下、「駆動トランジスタ」という。）Ｎ２と、保持容量Ｃｓと、有機ＥＬ素子ＯＬＥＤとで構成される。
【００２２】
図６の場合、サンプリングトランジスタＮ１と駆動トランジスタＮ２はＮチャネルＭＯＳトランジスタで構成される。なお、サンプリングトランジスタＮ１は、ゲート電極に接続された書込制御線ＷＳＬにより動作状態が制御される。サンプリングトランジスタＮ１がオン状態のとき、画素データに対応する信号線ＤＴＬの電位が保持容量Ｃｓに書き込まれる。
【００２３】
保持容量Ｃｓは、駆動トランジスタＮ２のゲート電極とソース電極間に接続される容量性負荷である。保持容量Ｃｓに保持された信号電位Ｖsig が、駆動トランジスタＮ２のゲート・ソース間電圧Ｖgsを与える。この電圧に相当する信号電流Ｉsig が、電流供給線としての電源線ＤＳＬから引き込まれ、有機ＥＬ素子ＯＬＥＤに供給される。
【００２４】
なお、信号電流Ｉsig が大きいほど、有機ＥＬ素子ＯＬＥＤに流れる電流は大きくなり、発光輝度が高くなる。すなわち、信号電流Ｉsig の大きさにより階調が表現される。この信号電流Ｉsig の供給が続く限り、有機ＥＬ素子ＯＬＥＤの所定輝度による発光状態が継続される。
【００２５】
この形態例の場合、電源線ＤＳＬは行単位で配線され、同じ行に位置する全てのサブ画素２３に駆動電源を供給する。この形態例の場合、電源線ＤＳＬは、３値の駆動電源ＶＨ、ＶＭ、ＶＳＳにて駆動される。３値の駆動電源のうち２つの駆動電源ＶＨとＶＭは、有機ＥＬ素子ＯＬＥＤをオン状態に保つことが可能な電源であり、残る１つの駆動電源ＶＳＳは有機ＥＬ素子ＯＬＥＤをオフ状態に制御する電源である。
【００２６】
このうち、駆動電源ＶＨは固定的に設定される駆動電源であり、特許請求の範囲における第１の駆動電源に対応する。また、駆動電源ＶＭは可変的に設定される駆動電源であり、特許請求の範囲おける第２駆動電源に対応する。なお、この明細書においては、駆動電源ＶＭを、可変駆動電源ともいう。
【００２７】
駆動電源ＶＭの最小値は、有機ＥＬ素子ＯＬＥＤを発光状態に維持できる範囲で設定される。この形態例の場合、カソード電極電位Ｖcat に設定される。一方、駆動電源ＶＭの最大値は、駆動電源ＶＨに一致する。駆動電源ＶＭの設定方法については後述する。
【００２８】
また、駆動電源ＶＳＳは、特許請求の範囲における第３の駆動電源に対応する固定電源である。なお、この形態例の場合、駆動電源ＶＳＳは、有機ＥＬ素子ＯＬＥＤのカソード電極電位Ｖcat よりも低い電位に設定されている。
【００２９】
（ｂ）信号線駆動部
信号線駆動部１５は、サブ画素２３の特性補正に必要な基準電位（以下では、「オフセット電位」という。）Ｖofs と、画素階調に対応する信号電位Ｖsig を信号線ＤＴＬに印加する回路デバイスである。信号線ＤＴＬは列単位で配線され、同じ列に位置する全てのサブ画素２３に電位を印加する。
【００３０】
（ｃ）書込制御線駆動部
書込制御線駆動部１７は、オフセット電位Ｖofs や信号電位Ｖsig の書き込みタイミングを与える制御パルスを書込制御線ＷＳＬに印加する回路デバイスである。この形態例の場合、書込制御線ＷＳＬは、前述したように行単位で配線される。従って、書込制御線駆動部１７の動作は水平走査クロックに同期し、水平走査クロックの入力毎に次行の画素列に制御パルスを出力するように動作する。
【００３１】
この形態例の場合、書込制御線駆動部１７は、各出力段が各行（画素列）に対応するシフトレジスタと各行に対応する出力段とを基本構成とする。なお、シフトレジスタは、例えば制御パルスの立ち上がりタイミングと立ち下がりタイミングを与えるタイミング信号を次行に順次転送するのに用いられる。出力段は、シフトレジスタから与えられるタイミングパルスに基づいて制御パルスを発生する論理回路と、制御パルスを駆動に適した電位に変換するレベルシフタと、書込制御線ＷＳＬを実際に駆動するバッファ回路とで構成される。
【００３２】
（ｄ）電源線駆動部
電源線駆動部１９は、書込制御線ＷＳＬの制御動作と連動してサブ画素２３の駆動動作を制御する回路デバイスである。前述したように、電源線駆動部１９は、３値の駆動電源のいずれか一つを時間順次に電源線ＤＳＬに印加する。
なお、この明細書においては、有機ＥＬ素子ＯＬＥＤが発光している期間を発光期間といい、有機ＥＬ素子ＯＬＥＤが発光していない期間を非発光期間という。
【００３３】
なお、発光期間は、各サブ画素２３の保持容量Ｃｓに信号電位Ｖsig が書き込まれた状態において、電源線ＤＳＬに駆動電源ＶＨ又はＶＭが印加される期間が対応する。また、非発光期間は、サブ画素２３に次フレームの信号電位Ｖsig を書き込むまでの期間と、各サブ画素２３の保持容量Ｃｓに信号電位Ｖsig が書き込まれた状態において、電源線ＤＳＬに駆動電源ＶＳＳが印加されている期間が対応する。
【００３４】
なお、非発光期間を構成する前者の期間においては、保持容量Ｃｓの電位の初期化動作時と閾値補正動作の準備期間に、電源線ＤＳＬに駆動電源ＶＳＳが印加され、その他の期間は高電位の駆動電源ＶＨが印加される。
【００３５】
この形態例の場合、電源線駆動部１９は、各行（画素列）に対応する出力段を基本構成とする。出力段は、制御パルスを駆動に適した電位に変換するレベルシフタと、書込制御線ＷＳＬを実際に駆動するバッファ回路とで構成する。なお、この形態例の場合、出力段に対する３値の駆動電源は、駆動電源発生部２１から与えられる。
【００３６】
（ｅ）駆動電源発生部
（ｅ−１）全体構成
駆動電源発生部２１は、各行に対応する電源線ＤＳＬに印加する駆動電源を発生する回路デバイスである。
図７に、駆動電源発生部２１の回路構成例を示す。駆動電源発生部２１は、１フレーム平均輝度検出部３１、ピーク輝度制御部３３、フリッカ成分検出部３５、発光モード判別部３７、ユーザー設定部３９、出力パターンルックアップテーブル４１、可変駆動電源発生部４３、駆動タイミング発生部４５で構成される。
以下、各機能ブロックの構成を説明する。
【００３７】
（ｅ−２）１フレーム平均輝度検出部
１フレーム平均輝度検出部３１は、１フレーム画面を構成する全画素に対応する入力画像データＤinの平均輝度レベルＹavr を算出する回路デバイスである。因みに、入力画像データＤinは、Ｒ（赤）画素データ、Ｇ（緑）画素データ、Ｂ（青）画素データのデータ形式により与えられる。この形態例の場合、平均輝度レベルＹavr は、最大輝度レベルを１００％とした値として算出される。
【００３８】
１フレーム平均輝度検出部３１は、平均輝度レベルＹavr の算出に際し、まず各画素に対応するＲ画素データ、Ｇ画素データ、Ｂ画素データを画素単位の輝度レベルに変換する。
また、平均輝度レベルＹavr は、１フレーム単位で算出しても良いし、複数フレーム単位の平均値として算出しても良い。
【００３９】
（ｅ−３）ピーク輝度制御部
ピーク輝度制御部３３は、算出された平均輝度レベルＹavr に基づいて該当フレーム画面の表示に使用するピーク輝度レベルＰｙを設定する回路デバイスである。例えば平均輝度レベルＹavr の低いフレーム画面には、ピーク輝度レベルＰｙがダイナミックレンジの高値になるように発光期間長を設定する。この形態例の場合、発光期間長は、１フレーム期間長を１００％として与えることにする。
【００４０】
この種の画面には、夜空に星が点在するような画面が該当する。この種の画面でピーク輝度レベルＰｙを低く設定したのでは、星の輝きを表現できないためである。一方、例えば平均輝度レベルＹavr の高いフレーム画面には、ピーク輝度レベルＰｙがダイナミックレンジの中間値になるように発光期間長を設定する。設定された発光期間長は、可変駆動電源発生部４３に供給される。
【００４１】
（ｅ−４）フリッカ成分検出部
フリッカ成分検出部３５は、入力画像データＤinに基づいて、入力画像に含まれる動画成分とフリッカ成分を検出する回路デバイスである。因みに、動画成分の検出には、例えば前フレームに対する動きベクトルの平均値によって検出する方法や、１フレームに占める静止画素の割合によって検出する方法などを適用する。
【００４２】
また、フリッカ成分の検出には、例えば以下の各条件を数値化して検出する方法を適用する。
・フレームレート
・１フレーム内の発光時間長
・動き量
・平均輝度レベルが50％以上の領域の連続出現時間
【００４３】
図８に、フリッカ成分検出部３５の内部構成例を示す。フリッカ検出部３５は、輝度レベル検出部５１、発光期間長制御部５３、動き量検出部５５、動き量フォーマット変換部５７、ブロック制御部５９、発光時間計測部６１及びフリッカ情報算出部６３で構成する。
【００４４】
（１）輝度レベル検出部
このうち、輝度レベル検出部５１は、１フレーム画面を構成する全画素に対応する入力画像データＤinの平均輝度レベルを算出する回路デバイスである。
（２）発光期間長制御部
発光期間長制御部５３は、１フレーム画面全体の平均輝度レベルＳ１に基づいて、１フレーム期間内の発光期間長を可変的に制御する回路デバイスである。具体的には、平均輝度レベルＳ１が高いほど発光期間長を短く制御し、反対に平均輝度レベルＳ１が低いほど発光期間長を長く制御する。使用する発光期間長Ｓ５は、ブロック制御部５９に供給される。
【００４５】
（３）動き量検出部
動き量検出部５５は、入力画像データＤinに基づいて画素毎の動き量を検出する回路デバイスである。
図９に、動き量検出部５５の内部構成例を示す。動き量検出部５５は、フレームメモリ７１、動き検出部７３、動画／静止画判定部７５で構成する。
【００４６】
この形態例の場合、フレームメモリ７１は、２フレーム分のメモリ領域を有している。各メモリ領域は、垂直同期信号Ｖsyncによって書き込みと読み出しが入れ替わる。すなわち、一方のメモリ領域に入力画像データＤinが書き込まれている最中に、他方のメモリ領域から前フレームの入力画像データＤinが読み出される。
【００４７】
動き検出部７３は、画素数単位で動き量Ｓ４を検出する回路デバイスである。
動画／静止画判定部７５は、検出された動き量Ｓ４に基づいて、入力画像が動画か静止画かを判定し、判定結果Ｓ３を出力する回路デバイスである。
動画／静止画判定部７５は、基本的に動き量がゼロである画像を静止画像と判定する。ただし、動き量が非常に小さい画像も静止画像と判定する場合もある。ここでの判定閾値には、経験等を加味した設計上の値を使用する。
【００４８】
なお、この形態例の場合には、２フレーム画像の比較により動き量を検出しているが、現在使用可能なその他の動き検出技術を使用することもできる。
例えばコムフィルタを用いる動き検出技術、ＭＰＥＧデコーダで使用する動き検出技術、インタレース・プログレッシブ変換処理で使用する動き検出技術その他を使用することもできる。また、有機ＥＬパネルモジュール１１が搭載するこれら動き検出機能の検出結果を流用することもできる。図８では、この種の外部から与えられる動き量をＤmoveで示している。
【００４９】
参考までに、図１０に、ＭＰＥＧデコーダから与えられる動き量Ｄmoveのデータ例を示す。外部に配置する動き検出部では、単なる動き量だけでなく、その方向や輝度成分についても検出される。従って、図１０に示すように、動き量Ｄmoveは、輝度成分８１と、動きベクトルの方向８３と、動きベクトルの大きさ８５を一組として与えられる。
【００５０】
（４）動き量フォーマット変換部
動き量フォーマット変換部５７は、基本的に画素数で与えられる動き量Ｓ４又はＤmoveを演算用の数値（この形態例では、「動き値」という。）にフォーマット変換する回路デバイスである。ここでの動き値は、ブロック制御部５９でフリッカ判定用のブロック面積を調整するために使用するパラメータの一つである。通常、動きが大きい画面ではフリッカが目立ち難くなるため、動き量が大きいほど動き値には大きな値が割り当てられる。
【００５１】
図１１に、動き量と動き値との対応関係を記録したテーブル例を示す。図１１の場合、動き量Ｓ４は、０、１、２、３、４、５以上の６段階である。図１１の場合、動き量の大きさがゼロの画素（すなわち、静止画）には動き値
「1.0」を割り当てている。また図１１の場合、動き量の大きさがゼロ以外の画素（すなわち、動画像）には、動き量の大きさに比例して動き値を増やすように割り当てている。なお、無制限に動き値を増やしてしまうと、本来の目的であるフリッカ判定に支障が生じかねない。そこで、図１１の場合には、動き量が５以上の場合には、動き値の増加を
「1.5」に制限している。
【００５２】
具体的には、動き量が１画素大きくなると、動き値を 「0.1」大きくする。この対応関係は、動き量の１画素分の増加が、基準面積（動き量がゼロの場合の面積）の10％分だけ大きく変化させるように作用する。
なお、前述したように、動き量が外部からＤmoveとして与えられる場合には、動きベクトルの大きさを画素数に換算した上で動き値に変換することになる。勿論、図１１は一例であり、動き量の段数や対応する変化幅も任意である。
【００５３】
（５）ブロック制御部
ブロック制御部５９は、フリッカ判定処理で使用するブロック領域の数、位置、面積を決定する回路デバイスである。
図１２に、ブロック制御部５９の内部構成例を示す。ブロック制御部５９は、輝度分布検出部９１、ブロック数決定部９３、ブロック位置決定部９５、ブロック面積決定部９７、初期設定情報記憶部９９で構成する。
【００５４】
輝度分布検出部９１は、画素毎に得られる輝度レベルＳ２に基づいて輝度レベルの高い領域を検出する回路デバイスである。輝度分布検出部９１は、例えば判定閾値に輝度レベルの50％（最大階調値を 100％とする。）を使用し、各輝度レベルＳ２との比較結果を輝度分布情報Ｓ７として出力する。この形態例の場合、判定閾値より輝度レベルが高い画素は値「１」で表され、判定閾値より輝度レベルが低い画素は値「０」で表される。
【００５５】
この形態例において、閾値に輝度レベルの50％を使用するのは、フリッカは明るい領域ほど見えやすくなるためである。勿論、この条件は一例であり、後述するように他の条件も揃わないとフリッカとして視認される訳ではない。
このように、輝度分布情報Ｓ７を予め求めることにより、後段の各処理部で必要となる演算量を削減することができる。
【００５６】
判定結果は、輝度分布情報Ｓ７としてブロック数決定部９３、ブロック位置決定部９５及びブロック面積決定部９７に供給される。因みに、高解像度の表示デバイスでは画素数が多くなる。従って、輝度分布情報Ｓ７はＲＡＭ等のメモリ上に保存し、後段の各処理部は当該メモリにアクセスする方法を採用しても良い。
【００５７】
ブロック数決定部９３は、フリッカ判定処理で使用するブロック数を決定する回路デバイスである。ここでの決定処理は、２段階に分けて実行される。
１段目の処理では、画面全体の平均輝度レベルＳ１と発光期間長Ｓ５に基づいて、入力画像に含まれるフリッカ成分が画面内に「分散」しているか「集中」しているかを判定する処理が実行される。
【００５８】
この形態例の場合、ブロック数決定部９３は、以下の２つの条件を同時に満たすとき「分散型」であると判定し、その他のとき「集中型」であると判定する。
・画面全体の平均輝度レベルＳ１が50％以上（最大階調値を 100％とする。）
・発光期間長Ｓ５が１フレーム期間の60％以下（１フレーム期間を 100％とする。）
【００５９】
なお、この形態例の場合、発光期間長は、２５％から５０％の範囲で設定される場合を考える。従って、２つ目の条件は無条件に満たしている。
「分散型」と判定された場合、ブロック数決定部９３は、ブロック数Ｓ８を「１」に設定する。一方、「集中型」と判定された場合、ブロック数決定部９３は、ブロック数Ｓ８を２段目の処理を通じて決定する。
【００６０】
２段目の処理では、輝度分布情報Ｓ７と、事前に用意された判定ブロックの初期設定情報（個数、位置、面積）とに基づいて、入力画面に応じたブロック数を決定する処理が実行される。
【００６１】
図１３に、判定ブロックの初期設定例を示す。前述したように、フリッカ成分が認識されるには、全画面の10％以上の面積領域があることが条件となる。このため、初期設定時のブロック面積は、最大でも全画面の 5％〜10％の範囲に設定しておく。また、画面中央付近は画面周囲に比べてフリッカが目立ち易い。このため、初期設定時には、図１３に示したように、中央付近のブロックを周辺領域の４分の１の面積に設定している。図１３では、通し番号の「６」〜「１３」に対応するブロックが対応する。
【００６２】
ここで、ブロック数決定部９３は、集中型と判定された入力画像について、初期設定情報記憶部９９に用意された各ブロック領域（図１３）に対応する輝度分布情報Ｓ７を割り当て、該当ブロック領域の平均輝度レベルが階調輝度の50％以上か否かを判定する。この形態例の場合、各ブロック領域に対応する輝度分布情報Ｓ７のうち平均輝度レベルが階調輝度の50％を超えると判定された画素（値「１」）の数と、平均輝度レベルが階調輝度の50％未満と判定された画素（値「０」）の数とを比較し、いずれが多いかによって各ブロック領域の平均輝度レベルが50％以上か否かを判定する。
【００６３】
例えばあるブロック領域の平均輝度レベルが階調輝度の50％未満であると判定された場合（値「０」の数＞値「１」の数の場合）、ブロック数決定部９３は、当該当ブロック領域を１個として計数するか、隣接する複数個のブロック領域を合わせて１個として計数する。例えば中央付近のように既に細分化されているブロックについては、隣接するブロック領域が同じ判定結果であることを条件として、全画面の１０％を超えない範囲で１つのブロック領域として計数する。
【００６４】
図１４に、合体後のイメージ例を示す。図１４は、図１３におけるブロック「６」、「７」、「１０」、「１１」の平均輝度レベルがそれぞれ閾値以下である場合に、これら４つを１つのブロックとして扱う状態を表している。この場合、判定用のブロック領域の数は、初期状態の１８個から１５個に変更される。
【００６５】
一方、あるブロック領域の平均輝度レベルが階調輝度の50％以上であると判定された場合（値「０」の数＜値「１」の数の場合）、ブロック数決定部９３は、当該ブロック領域の初期状態と位置（中央付近か周辺領域か）を考慮してブロック領域の細分化数を決定する。例えば周辺部に位置するブロックについては２つ以上に分割する。
【００６６】
図１５に、分割後のイメージ例を示す。図１５は、図１３におけるブロック「２」の平均輝度レベルが閾値以上である場合に、当該ブロックを４つのブロック領域に分割した状態を表している。この場合、判定用のブロック領域の数は、初期状態の１８個から２１個に変更される。
【００６７】
このような処理を経て決定されたブロック数Ｓ８は、ブロック位置決定部９５に与えられる。なお、ブロック領域の面積が小さいほど、フリッカの判定精度は高くなる。ただし、ブロック領域の数が多くなり過ぎると必要になる演算量も過大になるので適当な数に制限することが望ましい。
【００６８】
ブロック位置決定部９５は、輝度分布情報Ｓ７と、ブロック数Ｓ８と、事前に用意された判定ブロックの初期設定情報（位置）とに基づいて、各ブロックの位置情報Ｓ９を決定する処理を実行する。
因みに、ブロック領域の数が１個であった場合（「分散型」の場合）、画面全体が１ブロックになる。従って、ブロック位置決定部９５は、ブロック領域の位置情報Ｓ９を個別に決定する必要がない。ここでは、事前に定められた１個の基準位置を位置情報Ｓ９として出力する。
【００６９】
これに対し、ブロック領域が複数個決定された場合（「集中型」の場合）、ブロック位置決定部９５は、輝度分布情報Ｓ７を参照し、輝度レベルの高い画素が多く集まる領域にブロック領域が多数割り当てられるように位置情報Ｓ９を決定する。
ただし、この時点では、ブロック数が決まっているだけで、各ブロックの面積は未定である。
【００７０】
従って、初期設定情報を参考に、ブロックの始点座標（例えばブロックの右上座標）や中心座標等をＸＹ座標で与える。例えば輝度レベルが低い領域については、初期設定情報で定められたブロック領域の位置情報をそのまま使用する。また例えば輝度レベルが高い領域については、ブロック数決定部９３と同様、初期設定情報で定められたブロック領域を分割するように位置情報Ｓ９を決定する。
【００７１】
ブロック面積決定部９７は、動き値Ｓ６と輝度分布情報Ｓ７とに基づいて、対応するブロックの面積を決定する回路デバイスである。ブロック面積決定部９７は、逐次算出されるブロック面積Ｓ１０を発光時間計測部６１に出力する。
なお、供給された位置情報Ｓ９の数が１個である場合（分散型の場合）には、画面全体が１つのブロック領域であるので面積は求めなくて良い。
一方、位置情報Ｓ９が複数個与えられる場合（集中型の場合）、ブロック面積決定部９７は、位置情報Ｓ９に対応する各ブロックの面積を次式に基づいて算出する。
【００７２】
ブロック面積＝（全表示領域の10％の面積）×輝度レベル値×動き値        （式１）
ここでの輝度レベル値は、ブロック面積の調整用に使用するパラメータの一つである。輝度レベル値は、位置情報Ｓ９に基づいて位置決めされるブロック領域（全表示領域の10％の面積を有するブロック領域）内に位置する全画素の平均輝度レベルとして与えられる。
【００７３】
なお、位置決めされるブロック領域の形状は正方形状でも良いし、画面のアスペクト比を保存する形状でも良い。この形態例の場合には、画面のアスペクト比と一致させる方法を採用する。
また、平均輝度レベルは、各ブロック領域内に位置する全画素の輝度レベルＳ２の平均値として算出される。
【００７４】
図１６に、輝度レベルと輝度レベル値との対応テーブル例を示す。一般に、輝度レベルが高いほどフリッカは知覚され易くなる。そこで、この形態例では、輝度レベルが高いブロック領域ほど面積を小さくなるように、小さい輝度レベル値を割り当てる。なお、高輝度領域に配置されるブロック領域の面積を小さくすることで、高輝度領域の面積の検出精度が高くなり、フリッカの検出精度が高くなる。
【００７５】
図１６の場合、輝度レベルは、50％〜55％，55％〜60％，60％〜65％，65％〜70％，70％〜75％，75％以上の６段階用意する。
図１６の場合、輝度レベルが50％〜55％のブロックには輝度レベル値
「1.0」を割り当てる。また図１６の場合、輝度レベルが１段階上がるごとに、輝度レベル値を減らすように割り当る。具体的には、輝度レベルの階級が１段階上がると、輝度レベル値を
「0.1」小さくする。この対応関係は、輝度レベルが１階級上がると、基準面積（輝度レベルが50％〜55％の場合の面積）の10％分だけ小さく変化させることを意味する。
【００７６】
図１７及び図１８を用い、ブロック面積決定部９７による処理結果の一例を示す。図１７は、入力画像例である。なお、図１７に示す入力画像は、動き量がゼロであり、かつ、画面右下隅に輝度が集中する場合を表している。
図１８は、ブロック面積決定部９７の出力例である。ブロック位置決定部９５の段階で画面右下隅に多くのブロックが配置される上に、式１に基づく面積の計算によって画面右下隅に面積の小さいブロックが多く配置される。
初期設定情報記憶部９９は、前述したように、フリッカ判定用のブロックの数、位置、面積の初期値を格納する記憶領域である。
【００７７】
（６）発光時間計測部
発光時間計測部６１（図８）は、一定以上の面積を有する高輝度領域を検出して、その発光時間を計測する回路デバイスである。フリッカは、単に明るい画像や動きの少ない画像があるだけでなく、一定面積と一定時間以上の連続発光がなければ視認されないためである。
【００７８】
このため、発光時間計測部６１は、以下の処理を実行する。まず、発光時間計測部６１は、前段処理で設定されたブロック領域のうち平均輝度レベルが階調輝度の50％以上のブロック領域を検出する。次に、発光時間計測部６１は、それらのうち互いに隣接又は重なり合うブロック領域同士を一つのブロック領域として結合し、結合後のブロック領域について面積を求める。
【００７９】
更に、発光時間計測部６１は、算出された面積が表示領域全体の10％以上になる結合ブロックが一つでも検出された場合、検出開始から未検出までの時間を計測する。なお、面積が表示領域の10％以上になるブロック領域の最大個数は１０個である。この形態例の場合、これら１０個の発光時間を同時に計測できるものとする。
【００８０】
発光時間の計測対象になったブロック領域の面積と計測値は発光時間情報Ｓ１１として６３に供給される。
なお、入力画像が分散型の場合（画面全体が平均的に明るく、総発光期間長が閾値以上の場合）、発光時間計測部６１は、分散型との検出結果が得られている間中、その発光時間と平均輝度レベルを発光時間情報Ｓ１１として出力する。
【００８１】
（７）フリッカ情報算出部
フリッカ情報算出部６３は、発光時間情報Ｓ１１とフレームレートＳ１２に基づいて、フリッカ情報を算出する回路デバイスである。なお、フリッカ情報算出部６３におけるフリッカ情報の算出は、発光時間情報Ｓ１１の時間長が非ゼロの場合に実行される。なお、発光時間情報Ｓ１１の計測対象になった領域が複数ある場合、全ての領域についてフリッカ情報を算出しても良いが、フリッカが最も目立ち易い（すなわち、面積が最も大きい）領域についてのみフリッカ情報を算出しても良い。
【００８２】
フリッカ情報算出部６３は、次式に基づいてフリッカ情報を算出する。
フリッカ情報＝フレームレート値×平均輝度レベル50％以上の面積値×発光時間値
…(式２)
式２のうち、フレームレート値は、有機ＥＬパネルモジュール１１の表示駆動に使用するフレームレートＳ１２の大きさを反映する判定用のパラメータである。平均輝度レベル50％以上の面積値は、発光時間情報Ｓ１１の測定対象になった結合ブロック領域の面積の大きさを反映する判定用のパラメータである。発光時間値も、発光時間情報Ｓ１１の計測時間を反映する判定用のパラメータである。
【００８３】
図１９〜図２１に、各値を対応するパラメータに変換するための対応テーブル例を示す。
図１９は、フレームレートとフレームレート値との対応テーブル例である。フレームレートが65Ｈｚ以上の場合、一般にフリッカは見えなくなる。このため、この範囲のフレームレートには、フレームレート値としてゼロが対応付けられる。なお、フレームレートが65Ｈｚより小さくなると、フリッカが徐々に見えやすくなる。このため、フレームレート値は徐々に大きくなる。図１９の場合、フレームレートが54Ｈｚ以下の場合、フレームレート値は最大値である「４」になる。
【００８４】
図２０は、高輝度領域の面積と面積値との対応テーブル例である。いうまでもなく、面積が全表示領域の10％以下の場合には、一般にフリッカは見えなくなる。このため、この範囲の面積には、面積値としてゼロが対応付けられる。なお、面積が10％より大きくなると、フリッカが徐々に見えやすくなる。このため、面積値は徐々に大きくなる。図２０の場合、対応関係は面積の５％刻みで設定され、面積が50％以上の場合、面積値は最大値の「２」になる。
【００８５】
図２１は、検出された高輝度領域の発光時間と発光時間値との対応テーブル例である。いうまでもなく、高輝度領域であったとしても、その発光時間が短ければフリッカも見えなくなる。図２１では、この限界値を１秒とし、１秒未満の発光時間には、発光時間値としてゼロを対応付けている。なお、発光時間が１秒より大きくなると、フリッカが徐々に見えやすくなる。このため、発光時間値は徐々に大きくなる。図２１の場合、対応関係は 0.1秒刻みで設定され、発光時間が２秒以上の場合、発光時間値は最大値の「２」になる。
【００８６】
以上の対応テーブルを使用して、フリッカ情報算出部６３は、フリッカ情報Ｓ１３を算出する。
なお、フリッカ情報Ｓ１３は、フレームレートが高い場合、高輝度領域（平均輝度レベルが50％以上で、その面積が全画面の10％以上の領域）の面積が小さい場合、又は高輝度領域の連続発光時間が1秒未満の場合、値ゼロを採る。因みに、ブロック数の決定時には総発光時間長が反映され、高輝度領域の面積の決定時には動き量も反映される。従って、このフリッカ情報Ｓ１３には、フリッカの判定に必要な全ての条件が反映されている
【００８７】
（ｅ−５）発光モード判別部
発光モード判定部３７は、検出されたフリッカ情報Ｓ１３に基づいて、対象画像の表示に使用する発光モードを判定する回路デバイスである。
この形態例の場合、発光モード判定部３７は、図２２に示す対応関係に従って、検出されたフリッカ情報Ｓ１３に対応する発光モードを判定する。勿論、フリッカ情報Ｓ１３の値が小さいほどフリッカの強度は小さく、フリッカ情報Ｓ１３の値が大きいほどフリッカの強度は大きくなる。
【００８８】
図２２の場合、フリッカの強度が小さい入力画像に対しては、動画改善系の発光モード（発光モード３）を適用する。また、図２２の場合、フリッカの強度が中程度の入力画像に対しては、バランス系の発光モード（発光モード２）を適用する。また、図２２の場合、フリッカの強度が大きい入力画像に対しては、フリッカ改善系の発光モード（発光モード１）を適用する。
【００８９】
（ｅ−６）ユーザー設定部
ユーザー設定部３９は、ユーザーの好みを発光モードの判定に反映させるために配置される回路デバイスである。すなわち、操作画面を通じて受け付けた表示画質に対するユーザーの好みを記憶領域に保持する回路デバイスである。
【００９０】
表示画質に対するユーザーの好みとしては、例えば動画の表示品質を重視するかとか、静止画の表示品質を重視する等の情報の他、動画ボケとフリッカのいずれを重視するかと言った情報も含む。
【００９１】
（ｅ−７）出力パターンルックアップテーブル
出力パターンルックアップテーブル４１は、発光モードと点灯期間長に出力パターンを対応づけた状態で記憶する記憶領域である。この形態例の場合、発光期間長の２５％から５０％に対応する出力パターンが記憶されているものとする。
【００９２】
図２３に、出力パターンルックアップテーブル４１に記憶する出力パターンの一例を示す。図２３（Ａ）は、発光期間長が１フレームの５０％で与えられる場合の出力パターン例である。この形態例で想定するピーク輝度レベルの最大値に対応する。
【００９３】
図２３（Ｂ）と図２３（Ｅ）は、発光モード３（すなわち、動画改善系）の出力パターン例である。因みに、図２３（Ｂ）は発光期間長が４０％の場合の出力パターンであり、図２３（Ｅ）は、発光期間長が２５％の場合の出力パターンである。
図２３（Ｃ）と図２３（Ｆ）は、発光モード１（すなわち、フリッカ改善系）の出力パターン例である。因みに、図２３（Ｃ）は発光期間長が４０％の場合の出力パターンであり、図２３（Ｆ）は、発光期間長が２５％の場合の出力パターンである。
【００９４】
図２３（Ｄ）と図２３（Ｇ）は、発光モード２（すなわち、バランス系）の出力パターン例である。因みに、図２３（Ｄ）は発光期間長が４０％の場合の出力パターンであり、図２３（Ｇ）は、発光期間長が２５％の場合の出力パターンである。
出力パターンルックアップテーブル４１には、３種類の発光モードについて、発光期間長２５％から５０％までの複数種類の出力パターンが記録されている。なお、記録する出力パターンの数は、記憶容量に応じて定まるものとする。
【００９５】
図２３（Ｂ）〜（Ｇ）に示すように、各出力パターンの発光開始位置と発光終了位置は固定であり、発光モードに応じて駆動電源ＶＨの出力期間長と駆動電源ＶＭの出力期間長の比率と駆動電源ＶＭの電圧値が可変的に設定されている。
この形態例の場合、駆動電源ＶＭの出力回数は１回であり、駆動電源ＶＨの出力回数は発光期間の両端に対応する２回である。
【００９６】
図２３（Ｂ）及び（Ｅ）に示すように、動画改善系の出力パターンでは、固定電源である駆動電源ＶＨの出力期間長が相対的に短く設定される。一方、図２３（Ｃ）及び（Ｆ）に示すように、フリッカ改善系の出力パターンでは、固定電源である駆動電源ＶＨの出力期間長が相対的に長く設定される。
【００９７】
また、図２３（Ｄ）及び（Ｇ）に示すように、バランス系の出力パターンでは、固定電源である駆動電源ＶＨの出力期間長が、動画改善系とバランス系の中間値になるように設定される。
なお、一般的に、設定されたピーク輝度レベルが高いほど、駆動電源ＶＭの電圧値は、駆動電源ＶＨとの電位差が小さくなるように設定される。また、設定されたピーク輝度レベルが小さいほど、駆動電源ＶＭの電圧値は、駆動電源ＶＨとの電位差が大きくなるように設定される。
【００９８】
図２４に、各出力パターンと輝度分布との関係を示す。図２４（Ａ）は、図２３（Ａ）に対応する輝度分布を示す。図に太線で示すように、出力パターンと輝度分布とが一致していることが分かる。図２４（Ｂ）は、動画改善系に対応する輝度分布を示す。図に太線で示すように、発光期間両端の輝度分布は小さく、視認性には影響しない。すなわち、発光期間は１つとして視認される。図２４（Ｃ）は、フリッカ改善系に対応する輝度分布を示す。図に太線で示すように、発光期間内に２つの高輝度期間が現われる。結果的に、見掛け上の周波数成分が高くなり、フリッカが視認され難くできる。
【００９９】
図２４（Ｄ）は、バランス系の輝度分布を示す。図に太線で示すように、この出力パターンに対応する輝度分布は、動画改善系とフリッカ改善系の中間的な輝度分布となる。この出力パターンは、見掛け上の周波数成分を上昇できる一方で、発光期間の両端に当たる輝度分布のピーク幅を小さくでき、動画応答性にも配慮した輝度分布となる。
【０１００】
（ｅ−８）可変駆動電源発生部
可変駆動電源発生部４３は、出力パターンルックアップテーブル４１に基づいて、設定された発光モードとピーク輝度レベルを満足する出力パターンに対応する電圧値と出力期間長の比率を設定する回路デバイスである。因みに、出力パターンは、可変駆動電源発生部４３は、出力パターンルックアップテーブル４１から読み出された出力パターンの中からピーク輝度制御部３３から与えられたピーク輝度レベルを満足するものを選択する。
【０１０１】
この形態例の場合、ピーク輝度制御部３３から与えられたピーク輝度レベルに一致する出力パターンが存在しない場合には、近似するピーク輝度レベルを有する出力パターンから近似的に必要な出力パターンを生成する。
ここで、出力パターンが特定されると、固定電源である駆動電源ＶＨと可変駆動電源ＶＭの出力期間長の比率と、可変駆動電源である駆動電源ＶＭの電圧値がそれぞれ確定する。
この確定情報が駆動タイミング発生部４５に供給される。
【０１０２】
図２５に、可変駆動電源発生部４３の回路構成例を示す。可変駆動電源発生部４３は、可変駆動電源値・出力期間長比率設定部１０１、ディジタル／アナログ変換回路４３、レベルシフト・バッファ回路４５で構成される。
【０１０３】
可変駆動電源値・出力期間長比率設定部１０１は、検出された平均輝度レベルに対応する駆動電源ＶＭの電圧値と、駆動電源ＶＨの出力期間長と駆動電源ＶＭの出力期間長の比率を設定する回路デバイスである。この電圧値と出力期間長の比率は、図２３の出力パターンの各波形に対応する。
可変駆動電源値・出力期間長比率設定部１０１は、発光モードに対応する複数の出力パターンのうち設定されたピーク輝度レベルを満たす出力パターンを１つ選択する又は近似的に設定する動作を実行する。
【０１０４】
なお、設定された出力期間長の比率は、可変駆動電源値・出力期間長比率設定部１０１から図７に示す駆動タイミング発生部４５に直接出力される。一方、設定された駆動電圧値は、後段のディジタル／アナログ変換回路１０３に出力される。
ディジタル／アナログ変換回路１０３では、ディジタル値として設定された可変駆動電源値がアナログ電圧に変換される。
【０１０５】
レベルシフト・バッファ回路１０５は、前段から入力されるアナログ電圧のレベルをサブ画素２３の駆動に必要な電圧レベルに変換するバッファ回路である。このレベルシフト・バッファ回路１０５が図７における駆動タイミング発生部４５に与えられる。
【０１０６】
（ｅ−９）駆動タイミング発生部
駆動タイミング発生部４５は、３種類の駆動電圧ＶＨ、ＶＭ、ＶＳＳの出力を時間順次に切り替え、電源線ＤＳＬの駆動に必要な駆動パルスを発生する回路デバイスである。なお、生成された駆動パルスは、各行（水平ライン）間で線順次に転送される。
図２６に、駆動パルスの出力パターン例を示す。この出力パターンは、全ての電源線ＤＳＬに共通である。
【０１０７】
図２６に示すように、駆動パルスの出力パターンは、１フレーム単位で繰り返されるように発生される。前述したように、各行（水平ライン）の初期化タイミングは１水平走査期間毎ずれるように配置される。
【０１０８】
図２６に両矢印で示す期間が、各サブ画素２３に信号電位Ｖsig を書き込むための期間であり、その他の期間が基本的に有機ＥＬ素子ＯＬＥＤの発光に使用できる期間である。ただし、駆動電源ＶＳＳの期間は、信号電位Ｖsig の書き込みとは無関係に設定される非発光期間である。この駆動電源ＶＳＳの出力期間は固定期間である。
【０１０９】
また、図２６に示すように、発光期間の全体の長さは固定であるが、これを構成する駆動電源ＶＨとＶＭの各出力期間長は可変である。図２６の場合、発光期間の両端に配置される２つの駆動電源ＶＨの期間長が短く、発光期間の中央に配置される駆動電源ＶＭの期間長が長く設定されている。すなわち、図２６は、発光モード３（動画改善系の発光モード）に対応する出力パターンである。
【０１１０】
また、図２６に示すように、この形態例における駆動電源ＶＭの可変範囲は、カソード電極電位Ｖcat から駆動電源ＶＨの範囲で与えられる。なお、駆動電源ＶＭの最小値をカソード電極電位Ｖcat に定めるのは、発光期間中には、有機ＥＬ素子ＯＬＥＤに順バイアスのみが印加されるようするためである。
【０１１１】
仮に、駆動電源ＶＭの最小値をカソード電極電位Ｖcat より低い駆動電源ＶＳＳに定めると、発光期間中に順バイアスと逆バイアスが繰り返す事態が起こりうることになる。しかし、この順バイアスと逆バイアスの繰り返しは、有機ＥＬ素子ＯＬＥＤを含むパネルに与える負担が大きい。
そこで、この形態例の場合には、可変型の駆動電源ＶＭの最小値をカソード電極電位Ｖcat
に定め、有機ＥＬ素子ＯＬＥＤを含むパネルに与える負担を最小限にとどめている。
【０１１２】
（Ｂ−３）有機ＥＬパネルモジュールの駆動動作例
以下、図２７に基づいて、有機ＥＬパネルモジュールの駆動動作例を説明する。なお、図２７（Ａ）は信号線ＤＴＬの電位波形であり、図２７（Ｂ）は書込制御線ＷＳＬの駆動波形である。図２７（Ｃ）は電源線ＤＳＬの駆動波形である。図２７（Ｄ）は駆動トランジスタＮ２のゲート電位Ｖｇの電位波形である。図２７（Ｅ）は駆動トランジスタＮ２のソース電位Ｖｓの電位波形である。
【０１１３】
まず、初期化動作から説明する。初期化動作は、保持容量Ｃｓの保持電位を初期化する動作である。この動作は、書込制御線ＷＳＬがＬレベルの状態で、電源線ＤＳＬが駆動電源ＶＨから駆動電源ＶＳＳに切り替えられることで実行される。このとき、電源線ＤＳＬが駆動電源ＶＳＳに低下することで、駆動トランジスタＮ２のソース電位Ｖｓは駆動電源ＶＳＳへと低下する。勿論、有機ＥＬ素子ＯＬＥＤには逆バイアスが印加されるので消灯する。
【０１１４】
この際、駆動トランジスタＮ２はフローティング状態で動作している。従って、駆動トランジスタＮ２のソース電位Ｖｓの低下に伴い、保持容量Ｃｓを通じてカップリングされているゲート電極の電位（ゲート電位Ｖｇ）も低下する。この動作が初期化動作である。
この動作状態は、駆動トランジスタＮ２の閾値電圧Ｖthのバラツキ補正動作（閾値補正動作）の開始直前まで継続する。
【０１１５】
なお、この形態例の場合、図２７（Ｂ）に示すように、閾値補正動作の開始直前に書込制御線ＷＳＬをＬレベルからＨレベルに切り替えておく。書込制御線ＷＳＬがＨレベルになることで、サンプリングトランジスタＮ１はオン動作し、駆動トランジスタＮ２のゲート電位Ｖｇはオフセット電位Ｖofs に設定される。この動作が補正準備動作である。
この後、電源線ＤＳＬが駆動電源ＶＳＳから駆動電源ＶＨに切り替えられることで、閾値補正動作が開始される。
【０１１６】
閾値補正動作が開始すると、駆動トランジスタＮ２はオン動作し、ソース電位Ｖｓが上昇を開始する。一方、駆動トランジスタＮ２のゲート電位Ｖｇはオフセット電位Ｖofs に固定されているので、駆動トランジスタＮ２のゲート・ソース間電圧Ｖgsは徐々に小さくなる。図２８に、閾値補正動作時における駆動トランジスタＮ２のソース電位Ｖｓの電位変化を拡大して示す。
【０１１７】
図２８に示すように、駆動トランジスタＮ２のソース電位Ｖｓの電位の上昇は、駆動トランジスタＮ２のゲート・ソース間電圧Ｖgsが閾値電圧Ｖthに達した時点で自動的に停止する。この動作が閾値補正動作であり、駆動ランジスタＮ２の閾値電圧Ｖthのバラツキがキャンセルされる。なお、書込制御線ＷＳＬの電位は、閾値補正動作に要する時間のバラツキを加味して設定されたタイミングを待って、ＨレベルからＬレベルに切替制御される。
【０１１８】
この後、信号線ＤＴＬの電位は信号電位Ｖsig に切り替えられる。勿論、信号電位Ｖsig は、書込み対象であるサブ画素２３の画素階調に応じた電位である。なお、信号電位Ｖsig
の信号線ＤＴＬへの書き込みは、書込制御線ＷＳＬがＨレベルに切り替えられる前に実行される。信号線ＤＴＬの電位が信号電位Ｖsig に遷移した状態で書込みを開始するためである。
【０１１９】
さて、前述したように、信号線ＤＴＬに信号電位Ｖsig が印加され、電源線ＤＳＬに駆動電源ＶＨが印加された状態で書込制御線ＷＳＬがＨレベルに切り替え制御され、信号電位Ｖsig の書き込みが開始される。
信号電位Ｖsig の書き込みに伴い、駆動トランジスタＮ２のゲート電位Ｖｇは上昇し、駆動トランジスタＮ２はオン動作する。
【０１２０】
駆動トランジスタＮ２がオン動作すると、Ｖgs−Ｖthに応じた大きさの電流が電源線ＤＳＬから引き込まれ、有機ＥＬ素子ＯＬＥＤに寄生する容量成分を充電する。この寄生容量の充電により、有機ＥＬ素子ＯＬＥＤのアノード電位（駆動トランジスタＮ２のソース電位Ｖｓ）は上昇する。ただし、有機ＥＬ素子ＯＬＥＤのアノード電位がカソード電位に対して閾値電圧Ｖth(oled)以上高くならない限り、有機ＥＬ素子ＯＬＥＤは発光しない。
【０１２１】
また、このとき流れる電流は、駆動トランジスタＮ２の移動度μに依存する。図２９に、移動度μの違いによるソース電位Ｖｓの上昇速度の違いを示す。図２９に示すように、移動度μが大きいほど電流量が増加し、ソース電位Ｖｓも速く上昇する。このことは、同じ信号電位Ｖsig が印加される場合でも、移動度μの大きい駆動トランジスタＮ２のゲート・ソース間電圧Ｖgsは、相対的に移動度μが小さい駆動トランジスタＮ２のゲート・ソース間電圧Ｖgsよりも小さくなることを意味する。
【０１２２】
すなわち、移動度μの大きい駆動トランジスタＮ２に流れる電流量は、相対的に移動度μが小さい駆動トランジスタＮ２に流れる電流量よりも小さくなる。結果的に、移動度μの大きさのバラツキによらず、信号電位Ｖsig が同じであれば、同じ大きさの電流が有機ＥＬ素子ＯＬＥＤに流れるように補正される。この動作が移動度補正動作である。
なお、移動度補正動作が完了する時点には、有機ＥＬ素子ＯＬＥＤのアノード電位も閾値電圧Ｖth(oled)より大きくなり、有機ＥＬ素子ＯＬＥＤがオン動作する。このオン動作により有機ＥＬ素子ＯＬＥＤの発光が開始する。
【０１２３】
また、信号電位Ｖsig の書き込み終了後は、サンプリングトランジスタＮ１がオフ制御され、駆動トランジスタＮ２はフローティング状態で動作する。このため、有機ＥＬ素子ＯＬＥＤのオン動作によるアノード電位の上昇に伴い、駆動トランジスタＮ２のゲート電位Ｖｇもブートストラップ動作により上昇する。
この後は、駆動電源ＶＨによる発光と、発光モードとピーク輝度レベルに応じて設定された駆動電源ＶＭによる発光とが実行される。
【０１２４】
なお、駆動電源ＶＭは、前述したように、カソード電極電位Ｖcat から駆動電源ＶＨの範囲で変化する。この際、駆動電源ＶＨの開始端から終了端までの期間長のフレーム期間長に対する比と、駆動電源ＶＨの出力期間長と駆動電源ＶＭの出力期間長との比によってピーク輝度レベルを可変的に制御することができる。しかも、ピーク輝度レベルを可変制御しながらも、発光期間の開始時点から終了時点までの期間長は固定することができる。
【０１２５】
（Ｂ−４）まとめ
以上の通り。この形態例の場合には、駆動電源ＶＭとその出力期間長の比率の可変制御によってピーク輝度レベルを制御することができる。この際、画素データに対しては何らの加工が行われない。従って、ピーク輝度レベルの制御に際して、階調表現の表示性能を損なうことがない。
【０１２６】
また、この形態例の場合、発光期間の開始時点から終了時点までの期間長は固定されている。すなわち、ピーク輝度レベルを可変しても、発光期間長と非発光期間長の比率が固定される。このため、ピーク輝度レベルの可変制御に伴い、動画表示性能やフリッカ表示性能が大きく変化することを防ぐことができる。
【０１２７】
また、この形態例の場合、駆動電源ＶＨを２つの出力期間に分割し、これら２つの出力期間の中間に可変駆動電源である駆動電源ＶＭの出力期間を配置する。そして、これら出力期間長の比率と駆動電源ＶＭの電圧値をピーク輝度レベルの可変制御に伴って調整することにより、発光期間を構成する輝度分布の形状を滑らかに調整することができる。
【０１２８】
なお、輝度電源ＶＨの出力期間長の比率を高めれば、フレーム周波数を固定したままで見掛け上の周波数成分を高めることができ、フリッカが視認され難くできる。また、輝度電源ＶＨの出力期間長の比率を低くすることで、動画の視認性を高めることができる。また、輝度電源ＶＨの出力期間長の比率を最適化すれば、フリッカ特性と動画特性のバランスを優先した駆動動作も実現できる。
【０１２９】
（Ｃ）形態例２
（Ｃ−１）システム構成例
図３０に、この形態例に係る有機ＥＬパネルモジュール１１１のシステム構成例を示す。なお、図３０には、図４との対応部分に同一符号を付して示す。
有機ＥＬパネルモジュール１１１は、画素アレイ部１３と、信号線駆動部１５と、書込制御線駆動部１７と、電源線駆動部１９と、駆動電源発生部１１３とをガラス基板上に配置した構成を有している。
【０１３０】
以下では、新規の構成である駆動電源発生部１１３についてのみ説明する。この形態例における駆動電源発生部１１３も、各行に対応する電源線ＤＳＬに印加する駆動電源を発生する。ただし、駆動電源の発生には、図３１に示すように、照度センサ１１５によって検出されたパネル周辺の照度値を参照する。なお、図３１には、図７との対応部分に同一符号を付して示す。
【０１３１】
因みに照度センサ１１５は、パネル周辺の照度を正確に検出できるように筺体の表面に配置される。照度センサ１１５には、例えばフォトトランジスタ、フォトダイオード、フォトＩＣ（フォトダイオード＋アンプ回路）が用いられる。
図３１に示すように、駆動電源発生部１１３は、ピーク輝度制御部１１７、フリッカ成分検出部３５、発光モード判別部３７、ユーザー設定部３９、出力パターンルックアップテーブル４１、可変駆動電源発生部４３及び駆動タイミング発生部４５で構成される。
【０１３２】
以下では、新規の構成であるピーク輝度制御部１１７についてのみ説明する。ピーク輝度制御部１１７は、検出された周辺照度に応じてピーク輝度レベルＰｙを制御する回路デバイスである。図３２に、ピーク輝度制御部１１７に搭載するルックアップテーブルの入出力特性を示す。
【０１３３】
なお、図３２の横軸は照度[lx]であり、縦軸はピーク輝度レベル[％]である。この形態例の場合、ピーク輝度レベルＰｙは、１フレーム期間の２５％から５０％の範囲で設定される。この点は、形態例１と同じである。具体的には、想定する照度の最小値に２５％の発光期間長で与えられるピーク輝度レベルを割り当て、想定する照度の最大値に５０％の発光期間長で与えられるピーク輝度レベルを割り当てるものとする。想定する照度の最小値と最大値は、それぞれ使用環境を想定して設定される。
【０１３４】
なお、設定されたピーク輝度レベルが高いほど、駆動電源ＶＭの電圧値は、駆動電源ＶＨとの電位差が小さくなるように設定される。また、設定されたピーク輝度レベルが小さいほど、駆動電源ＶＭの電圧値は、駆動電源ＶＨとの電位差が大きくなるように設定される。
【０１３５】
（Ｃ−２）まとめ
この形態例の場合、周辺照度が明るい場合にはピーク輝度レベルを高くして視認性を高める一方で、周辺照度が暗い場合にはピーク輝度レベルを下げて眩しさや消費電力を抑制することができる。
勿論、動画特性とフリッカ特性は両立できるため、表示品質を従来技術に比して高めることができる。
【０１３６】
（Ｄ）他の形態例
（Ｄ−１）ピーク輝度レベルの他の設定方法
前述した形態例の場合には、フレーム平均輝度や周辺照度の大きさに応じてピーク輝度レベルを可変的に設定する場合について説明した。
【０１３７】
しかし、他の情報を参照してピーク輝度レベルを設定することもできる。例えば有機ＥＬパネルモジュールの周辺温度や環境温度に基づいて、ピーク輝度レベルを可変的に設定しても良い。例えば温度が低い場合にはピーク輝度レベルを高く設定し、温度が高い場合にはピーク輝度レベルの電圧値を低く設定しても良い。
また、前述した複数の条件を組み合わせてピーク輝度レベルを可変的に設定しても良い。
【０１３８】
（Ｄ−２）可変駆動電源の配置回数
前述した形態例の場合には、可変駆動電源である駆動電源ＶＭを発光期間内に１回だけ出現させる場合について説明した。
しかしながら、図３３に示すように、駆動電源ＶＭの出現回数を複数回としても良い。なお、図３３は、駆動電源ＶＭの出現回数が４回の例である。
【０１３９】
（Ｄ−３）駆動対象とする他の電源線
前述した形態例の場合には、有機ＥＬ素子ＯＬＥＤのカソード電極電位を固定し、アノード側の駆動電源を可変的に制御する場合について説明した。
しかし、同様の動作は、有機ＥＬ素子ＯＬＥＤのアノード電極側の電位を固定し、カソード電極側の電位を可変的に制御しても良い。
【０１４０】
図３４に、サブ画素２３と駆動回路との対応関係を示す。なお、図３４には、図６との対応部分に同一符号を付して示す。図２０に示すサブ画素２３では、有機ＥＬ素子ＯＬＥＤのアノード電極側を全てのサブ画素２３に共通の駆動電源ＶＨに設定する。一方、有機ＥＬ素子ＯＬＥＤのカソード電極に行単位で電源線ＤＳＬを接続する。なお、この形態例の場合、電源線ＤＳＬには、駆動電源ＶＳＳ、ＶＭ、ＶＨのいずれかを線順次に印加する。
【０１４１】
この形態例の場合、カソード電極の電位を電源線駆動部１２１が駆動制御する。
図３５に、電源線駆動部１２１が電源線ＤＳＬに印加する出力パターンの波形例を示す。図３５の横軸は時間、縦軸は電圧である。この駆動波形は、図２６に示す駆動波形の上下を反転した関係にある。なお、駆動電源ＶＭの最大値を、ＶＨ−（Ｖcat −ＶＳＳ）とするのは、有機ＥＬ素子ＯＬＥＤに逆バイアスが印加されないようにするためである。
【０１４２】
（Ｄ−４）サブ画素の他の回路構成
サブ画素の回路構成は、他の回路構成も考えられる。図３６に、サブ画素１３１の他の回路構成例を示す。サブ画素１３１の場合、駆動トランジスタＮ２をＰチャネル型の薄膜トランジスタとする。また、サブ画素１３１の場合、保持容量Ｃｓの一方の電極を固定電源に接続する。勿論、他の回路構成の画素回路についても考えられる。
【０１４３】
（Ｄ−５）共通電源の駆動電源
前述した形態例１及び２の場合には、有機ＥＬ素子ＯＬＥＤを非発光状態に制御する駆動電源をカソード電極電位Ｖcat より低電位のＶＳＳに設定する場合について説明した。すなわち、有機ＥＬ素子ＯＬＥＤに逆バイアスを印加するように設定した。
しかしながら、非発光状態に制御する駆動電源をカソード電極電位Ｖcat に設定しても良い。
【０１４４】
（Ｄ−６）他の出力パターン例
前述した形態例１及び２の場合には、発光期間の両端位置に固定電源である駆動電源ＶＨを印加し、それらの中間に可変電源である駆動電源ＶＭを印加する場合について説明した。すなわち、駆動電源ＶＭが駆動電源ＶＨより小さい場合、発光期間中の駆動電源が凹形状に変化する場合について説明した。
【０１４５】
しかし、動画改善系の出力パターンについては、図３７に示すような出力パターンを採用することができる。すなわち、発光期間の両端位置に可変電源である駆動電源ＶＭを印加し、それらの中間に固定電源である駆動電源ＶＨを印加しても良い。この場合、駆動電源ＶＭが駆動電源ＶＨより小さい場合、発光期間中の駆動電源は凸形状に変化する。
因みに、図３７（Ａ）は、固定電源である駆動電源ＶＨの出力期間長の比率が高い場合の例である。図３７（Ｂ）は、固定電源である駆動電源ＶＨの出力期間長の比率が図３７（Ａ）と同じであるが、可変電源である駆動電源ＶＭの電圧値が図３７（Ａ）よりも小さい場合の例である。
【０１４６】
また、図３７（Ｃ）は、可変電源である駆動電源ＶＭの電圧値が図３７（Ａ）と同じであるが、固定電源である駆動電源ＶＨの出力期間長の比率が図３７（Ａ）よりも小さい場合の例である。
いずれの場合も、発光期間長自体は固定した状態でピーク輝度レベルを可変することができ、しかも輝度分布を発光期間の中央部に集中させることができ、動画像の表示品質を高めることが可能になる。すなわち、動画ボケが視認され難くできる。
【０１４７】
（Ｄ−７）製品例（電子機器）
前述の説明では、形態例に係る点灯期間の設定機能を搭載した有機ＥＬパネルモジュールを例に発明を説明した。しかし、この種の設定機能を搭載する有機ＥＬパネルモジュールその他の表示パネルモジュールは、各種の電子機器に実装した商品形態でも流通される。以下、電子機器への実装例を示す。
【０１４８】
図３８に、電子機器１４１の概念構成例を示す。電子機器１４１は、前述した有機ＥＬパネルモジュール１４３、システム制御部１４５及び操作入力部１４７で構成される。システム制御部１４５で実行される処理内容は、電子機器１４１の商品形態により異なる。また、操作入力部１４７は、システム制御部１４５に対する操作入力を受け付けるデバイスである。操作入力部１４７には、例えばスイッチ、ボタンその他の機械式インターフェース、グラフィックインターフェース等が用いられる。
【０１４９】
なお、電子機器１４１は、機器内で生成される又は外部から入力される画像や映像を表示する機能を搭載していれば、特定の分野の機器には限定されない。
図３９に、その他の電子機器がテレビジョン受像機の場合の外観例を示す。テレビジョン受像機１５１の筐体正面には、フロントパネル１５３及びフィルターガラス１５５等で構成される表示画面１５７が配置される。表示画面１５７の部分が有機ＥＬパネルモジュール１４３に対応する。
【０１５０】
また、この種の電子機器１４１には、例えばデジタルカメラが想定される。図４０に、デジタルカメラ１６１の外観例を示す。図４０（Ａ）が正面側（被写体側）の外観例であり、図４０（Ｂ）が背面側（撮影者側）の外観例である。
【０１５１】
デジタルカメラ１６１は、保護カバー１６３、撮像レンズ部１６５、表示画面１６７、コントロールスイッチ１６９及びシャッターボタン１７１で構成される。このうち、表示画面１５７の部分が有機ＥＬパネルモジュール１４３に対応する。
【０１５２】
また、この種の電子機器１４１には、例えばビデオカメラが想定される。図４１に、ビデオカメラ１８１の外観例を示す。
ビデオカメラ１８１は、本体１８３の前方に被写体を撮像する撮像レンズ１８５、撮影のスタート／ストップスイッチ１８７及び表示画面１８９で構成される。このうち、表示画面１８９の部分が有機ＥＬパネルモジュール１４３に対応する。
【０１５３】
また、この種の電子機器１４１には、例えば携帯端末装置が想定される。図４２に、携帯端末装置としての携帯電話機１９１の外観例を示す。図４２に示す携帯電話機１９１は折りたたみ式であり、図４２（Ａ）が筐体を開いた状態の外観例であり、図４２（Ｂ）が筐体を折りたたんだ状態の外観例である。
【０１５４】
携帯電話機１９１は、上側筐体１９３、下側筐体１９５、連結部（この例ではヒンジ部）１９７、表示画面１９９、補助表示画面２０１、ピクチャーライト２０３及び撮像レンズ２０５で構成される。このうち、表示画面１９９及び補助表示画面２０１の部分が有機ＥＬパネルモジュール１４３に対応する。
【０１５５】
また、この種の電子機器１４１には、例えばコンピュータが想定される。図４３に、ノート型コンピュータ２１１の外観例を示す。
ノート型コンピュータ２１１は、下側筐体２１３、上側筐体２１５、キーボード２１７及び表示画面２１９で構成される。このうち、表示画面２１９の部分が有機ＥＬパネルモジュール１４３に対応する。
【０１５６】
これらの他、電子機器１４１には、オーディオ再生装置、ゲーム機、電子ブック、電子辞書等が想定される。
【０１５７】
（Ｄ−８）他の表示デバイス例
前述の形態例においては、発明を有機ＥＬパネルモジュールに適用する場合について説明した。
しかし、前述した駆動技術は、その他の自発光型の表示パネルモジュールに対しても適用することができる。例えばＬＥＤを配列する表示装置その他のダイオード構造を有する発光素子を画面上に配列した表示装置に対しても適用できる。例えば無機ＥＬ素子をマトリクス状に配置する表示パネルモジュールにも適用できる。
【０１５８】
（Ｄ−９）その他
前述した形態例には、発明の趣旨の範囲内で様々な変形例が考えられる。また、本明細書の記載に基づいて創作される又は組み合わせられる各種の変形例及び応用例も考えられる。
【図面の簡単な説明】
【０１５９】
【図１】１フレーム期間と発光期間長との関係を示す図である。
【図２】発光期間長とピーク輝度レベルとの関係を説明する図である。
【図３】有機ＥＬパネルモジュールの外観例を示す図である。
【図４】有機ＥＬパネルモジュールの構成例を示す図である。
【図５】画素アレイ部を構成するサブ画素の配列構造を説明する図である。
【図６】サブ画素の回路構成例を示す図である。
【図７】駆動電源発生部の内部構成例を説明する図である。
【図８】フリッカ成分検出部の内部構成例を示す図である。
【図９】動き量検出部の内部構成例を示す図である。
【図１０】動き量のデータ例を示す図である。
【図１１】動き量と動き値との対応関係を記録したテーブル例を示す図である。
【図１２】ブロック制御部の内部構成例を示す図である。
【図１３】判定ブロックの初期設定例を示す図である。
【図１４】ブロック領域の合体動作を説明する図である。
【図１５】ブロック領域の分割動作を説明する図である。
【図１６】輝度レベルと輝度レベル値との対応テーブル例を示す図である。
【図１７】入力画像例を示す図である。
【図１８】ブロック面積決定部の出力例を示す図である。
【図１９】フレームレートとフレームレート値との対応テーブル例を示す図である。
【図２０】高輝度領域の面積と面積値との対応テーブル例を示す図である。
【図２１】高輝度領域の発光時間と発光時間値との対応テーブル例を示す図である。
【図２２】発光モードの判定に使用する対応関係の一例を示す図である。
【図２３】発光モードとピーク輝度レベルに関連づけられた出力パターン例を説明する図である。
【図２４】出力パターンと輝度分布との関係を説明する図である。
【図２５】可変駆動電源発生部の内部構成例を示す図である。
【図２６】電源線の駆動波形例を示す図である。
【図２７】有機ＥＬパネルモジュールの駆動動作例を説明する図である。
【図２８】閾値補正動作を説明する図である。
【図２９】移動度補正動作を説明する図である。
【図３０】形態例２に係る有機ＥＬパネルモジュールの構成例を示す図である。
【図３１】形態例２に係る駆動電源発生部の回路構成例を説明する図である。
【図３２】周辺照度に応じたピーク輝度レベルの設定例を説明する図である。
【図３３】電源線の他の駆動波形例を示す図である。
【図３４】カソード電極電位を駆動する場合のサブ画素と駆動回路の接続関係を説明する図である。
【図３５】カソード電極電位を駆動する場合の駆動波形例を示す図である。
【図３６】サブ画素の他の画素回路例を示す図である。
【図３７】他の出力パターン例を示す図である。
【図３８】電子機器の機能構成例を示す図である。
【図３９】電子機器の商品例を示す図である。
【図４０】電子機器の商品例を示す図である。
【図４１】電子機器の商品例を示す図である。
【図４２】電子機器の商品例を示す図である。
【図４３】電子機器の商品例を示す図である。
【符号の説明】
【０１６０】
１１          有機ＥＬパネルモジュール
１３          画素アレイ部
１５          信号線駆動部
１７          書込制御線駆動部
１９          電源線駆動部
２１          駆動電源発生部
２３          サブ画素
３１          １フレーム平均輝度検出部
３３          ピーク輝度制御部
３５          フリッカ成分検出部
３７          発光モード判別部
４３          可変駆動電源発生部
１１５        照度センサ
【図２】
2010060975.tif 000003
【図３】
2010060975.tif 000004
【図４】
2010060975.tif 000005
【図５】
2010060975.tif 000006
【図６】
2010060975.tif 000007
【図７】
2010060975.tif 000008
【図８】
2010060975.tif 000009
【図９】
2010060975.tif 000010
【図１０】
2010060975.tif 000011
【図１１】
2010060975.tif 000012
【図１２】
2010060975.tif 000013
【図１３】
2010060975.tif 000014
【図１４】
2010060975.tif 000015
【図１５】
2010060975.tif 000016
【図１６】
2010060975.tif 000017
【図１８】
2010060975.tif 000018
【図１９】
2010060975.tif 000019
【図２０】
2010060975.tif 000020
【図２１】
2010060975.tif 000021
【図２２】
2010060975.tif 000022
【図２４】
2010060975.tif 000023
【図２５】
2010060975.tif 000024
【図２６】
2010060975.tif 000025
【図２７】
2010060975.tif 000026
【図２８】
2010060975.tif 000027
【図２９】
2010060975.tif 000028
【図３０】
2010060975.tif 000029
【図３１】
2010060975.tif 000030
【図３２】
2010060975.tif 000031
【図３３】
2010060975.tif 000032
【図３４】
2010060975.tif 000033
【図３５】
2010060975.tif 000034
【図３６】
2010060975.tif 000035
【図３８】
2010060975.tif 000036
【図１】
2010060975.tif 000037
【図１７】
2010060975.tif 000038
【図２３】
2010060975.tif 000039
【図３７】
2010060975.tif 000040
【図３９】
2010060975.tif 000041
【図４０】
2010060975.tif 000042
【図４１】
2010060975.tif 000043
【図４２】
2010060975.tif 000044
【図４３】
2010060975.tif 000045